(57)【要約】【課題】  本発明の課題は、複数種類の抽選球を使用せずに、従来の回転式抽選装置と同様の興趣性を有するくじを提供できるようにする。【解決手段】抽選システム１００によれば、抽選装置２の制御部２０１は、球箱２１の回転により球３が送出部２２に入ったことが非接触通信部２０４により検出された場合、通信部２０３によりサーバ装置１に抽選を依頼する。サーバ装置１から抽選結果を示す色情報を受信すると、制御部２０１は、非接触通信部２０４により球３に受信した色情報に基づく発光制御情報を送信し、球３の発光を色情報に基づいて制御する。球３から発光制御情報の受信完了が受信されると、制御部２０１は、送出制御部２８を制御して送出部２２の開口部を開状態にして送出部２２を介して球３を球箱２１の外部に送出する。【選択図】図８
2016058000.tif 000002
【特許請求の範囲】
【請求項１】
抽選を行う抽選手段と、
前記抽選手段による抽選結果を出力する出力装置を収納し、ユーザ操作により前記出力装置を送出手段を介して外部に送出する収納手段と、
前記抽選結果に基づいて前記出力装置の出力制御を行う出力制御手段と、
を備える抽選装置。
【請求項２】
前記出力装置が前記送出手段を通過する際に前記出力装置と無線通信を行う無線通信手段を備え、
前記出力制御手段は、前記出力装置が前記送出手段を通過する際に、前記無線通信手段により前記出力装置に前記抽選結果に対応する出力制御情報を送信する請求項１に記載の抽選装置。
【請求項３】
前記収納手段は、前記出力装置を複数収納し、ユーザ操作に応じて回転し、
前記送出手段の近傍に備えられ、前記出力装置を検出する検出手段と、を備え、
前記収納手段の回転に応じて前記収納手段から１つの前記出力装置が前記送出手段に移動するように構成され、
前記抽選手段は、前記検出手段により前記出力装置が検出された際に抽選を行い、
前記出力制御手段は、前記出力装置が前記送出手段を通過する際に、前記抽選手段による抽選結果に基づいて前記出力装置の出力制御を行う請求項１又は２に記載の抽選装置。
【請求項４】
前記出力装置は、発光装置であり、
前記出力制御手段は、前記抽選結果に基づいて前記発光装置の発光制御を行う請求項１〜３の何れか一項に記載の抽選装置。
【請求項５】
前記発光装置は、複数の色を切り替えて発光可能であり、
前記出力制御手段は、前記抽選結果に対応する色が出力されるように前記発光装置の発光制御を行う請求項４に記載の抽選装置。
【請求項６】
抽選を行う工程と、
前記抽選結果に基づいて前記出力装置の出力制御を行う工程と、
前記抽選による抽選結果を出力する出力装置を収納する収納手段から前記出力装置を外部に送出する工程と、
を含む出力制御方法。
【請求項７】
抽選を行う抽選手段と、前記抽選手段による抽選結果を出力する出力装置を収納し、ユーザ操作により前記出力装置を送出手段を介して外部に送出する収納手段と、を備える抽選装置に用いられるコンピュータを、
前記抽選結果に基づいて前記出力装置の出力制御を行う出力制御手段として機能させるためのプログラム。
【発明の詳細な説明】
【技術分野】
【０００１】
本発明は、抽選装置、出力制御方法及びプログラムに関する。
【背景技術】
【０００２】
従来よりショッピングモールや商店街等で使用されている回転式抽選装置（所謂、ガラガラ）は、機械式であり、予め当たりの各等級やはずれに対応する複数色の球を用意し、数を数えてセットしておく必要がある。
【０００３】
このような機械式の抽選装置では、球を一度抽選装置に入れてしまえば、当たり球、はずれ球のコントロールは基本的に不可能であり、追加球の管理や複数台の抽選装置がある場合などの管理に手間がかかっている。
【０００４】
そこで、例えば、特許文献１には、それぞれが球種の異なる一の抽選球を収容し、個別に開閉されて抽選球を放出する格納庫出口を備えた複数の格納庫と、解放すべき格納庫出口を選択し、選択した格納庫出口を所定のタイミングで解放する制御手段と、格納庫から放出された抽選球を払い出す払出口と、を備え、払い出された抽選球が元の格納庫に格納されるように構成した回転式球出抽選機が提案されている。
【先行技術文献】
【特許文献】
【０００５】
【特許文献１】特開２００５−１１５７４７号公報
【発明の概要】
【発明が解決しようとする課題】
【０００６】
特許文献１に記載の技術では、予め当たりの各等級やはずれに対応する複数色の球を数を数えてセットしておく必要がないため、抽選球の管理は従来に比べて容易である。しかしながら、特許文献１に記載の技術においても複数の球種の抽選球を使用するため、球種の管理は必要である。また、球種毎の格納庫が必要となるため、装置の小型化が難しい。更に、格納庫の数を超えた抽選の等級を設定することができないという制約がある。
【０００７】
本発明の課題は、複数種類の抽選球を使用せずに、従来の回転式抽選装置と同様の興趣性を有するくじを提供できるようにすることである。
【課題を解決するための手段】
【０００８】
上記課題を解決するため、請求項１に記載の発明の抽選装置は、
抽選を行う抽選手段と、
前記抽選手段による抽選結果を出力する出力装置を収納し、ユーザ操作により前記出力装置を送出手段を介して外部に送出する収納手段と、
前記抽選結果に基づいて前記出力装置の出力制御を行う出力制御手段と、
を備える。
【発明の効果】
【０００９】
本発明によれば、複数種類の抽選球を使用せずに、従来の回転式抽選装置と同様の興趣性を有するくじを提供することが可能となる。
【図面の簡単な説明】
【００１０】
【図１】本実施形態における抽選システムの全体構成例を示す図である。
【図２】図１のサーバ装置の機能的構成を示すブロック図である。
【図３】抽選設定情報記憶部のデータ格納例を示す図である。
【図４】図１の抽選装置の斜視図である。
【図５】（ａ）は、抽選装置の球箱の内部断面構造を正面から見た模式図、（ｂ）は、球箱を送出部の方向から見た模式図である。
【図６】図１の抽選装置の機能的構成を示すブロック図である。
【図７】図１の抽選装置に収納されている球の機能的構成を示すブロック図である。
【図８】図６の制御部により実行される抽選制御処理を示すフローチャートである。
【発明を実施するための形態】
【００１１】
以下、添付図面を参照して本発明に係る好適な実施形態を詳細に説明する。なお、本発明は、図示例に限定されるものではない。
【００１２】
［抽選システム１００の構成］
図１は、本発明の実施形態における抽選システム１００の全体構成を示す図である。抽選システム１００は、図１に示すように、サーバ装置１と抽選装置２とがＬＡＮ（local Area Network）、ＷＡＮ（Wide Area Network）、インターネット等の通信ネットワークＮを介してデータ送受信可能に接続されて構成されている。なお、抽選装置２の台数は、特に限定されない。
【００１３】
［サーバ装置１の構成］
図２は、サーバ装置１の主制御構成を示すブロック図である。サーバ装置１は、抽選装置２からの依頼に基づいて抽選を行い、抽選結果を示す色情報を抽選装置２に送信するコンピュータ装置である。サーバ装置１は、図２に示すように、制御部１１、記憶部１２、操作部１３、表示部１４、通信部１５等を備えて構成されている。
【００１４】
制御部１１は、記憶部１２のプログラム記憶部１２１に記憶されている各種のプログラムを実行して所定の演算や各部の制御を行うＣＰＵ（Central Processing Unit）とプログラム実行時の作業領域となるメモリとを備えている（いずれも図示略）。制御部１１は、記憶部１２のプログラム記憶部１２１に記憶されているプログラムとの協働により、抽選手段として抽選装置２からの依頼に応じて抽選を行ったり、抽選結果に対応する色の色情報を抽選装置２に送信したりする。
【００１５】
記憶部１２は、ＨＤＤ（Hard Disk Drive）や不揮発性の半導体メモリ等により構成される。記憶部１２は、サーバ装置１に固定的に設けたもの、若しくは着脱自在に装着する記憶媒体も含まれる。記憶部１２には、図２に示すように、プログラム記憶部１２１が設けられている。プログラム記憶部１２１には、制御部１１で実行されるシステムプログラム、各種処理を実行するための処理プログラム、これらのプログラムの実行に必要なデータ等が記憶されている。
【００１６】
また、記憶部１２には、抽選設定情報記憶部１２２が設けられている。抽選設定情報記憶部１２２は、操作部１３により設定された抽選設定情報を記憶する。図３に、抽選設定情報記憶部１２２のデータ格納例を示す。図３に示すように、抽選設定情報記憶部１２２には、「等級」、「色」、「確率」の項目が設けられており、抽選の各等級（例えば、１等、２等、３等、はずれ等）毎に、その等級に対応する球３の色及びその等級が出る確率が記憶されている。
【００１７】
操作部１３は、カーソルキー、文字入力キー、テンキー、及び各種機能キー等を備えたキーボードと、マウス等のポインティングデバイスを備えて構成され、ユーザによるキーボードに対するキー操作やマウス操作により入力された指示信号を制御部１１に出力する。また、操作部１３は、表示部１４の表示画面にタッチパネルを備えても良く、この場合、タッチパネルを介して入力された指示信号を制御部１１に出力する。
【００１８】
表示部１４は、ＬＣＤ（Liquid Crystal Display）やＣＲＴ（Cathode Ray Tube）等のモニタにより構成され、制御部１１から入力される表示信号の指示に従って、各種画面を表示する。
【００１９】
通信部１５は、モデム、ルータ、ネットワークカード等により構成され、通信ネットワークＮに接続された外部機器との通信を行う。
【００２０】
［抽選装置２の構成］
抽選装置２は、ユーザの回転操作に応じてサーバ装置１に抽選を依頼し、抽選結果を示す色の球３を外部へ送出する回転式の抽選装置である。図４に、抽選装置２の斜視図を示す。図５（ａ）に、抽選装置２の球箱２１の内部断面構造を正面から見た模式図を示す。図５（ｂ）に、抽選装置２の球箱２１を送出部２２の方向から見た模式図を示す。図６に、抽選装置２の主制御構成を示す。
【００２１】
図４、図５（ａ）、（ｂ）に示すように、抽選装置２には、同一種類の球３が複数収納された、例えば六角形の球箱２１（収納手段）が設けられている。球箱２１の正面には、ハンドル２３及び回転軸２４が設けられ、ユーザによるハンドル２３の操作に応じて回転軸２４を中心に球箱２１を回転させることが可能となっている。球箱２１の側面には、球箱２１の回転により球３を外部に送出するための開口部を有する送出部２２と、球３の投入部（図示せず）とが設けられている。また、抽選装置２には、球箱２１を支えるための台座２５、送出された球３を受ける受け皿２６等が設けられている。抽選装置２は、ユーザによりハンドル２３が操作されて球箱２１が一回転することにより、球箱２１に収納されている球３のうち一つの球３が送出部２２に入って（移動して）送出部２２を通過し、外部に送出されるように構成されている。
【００２２】
また、球箱２１の送出部２２の開口部の近傍には、送出部２２を通過する球３と無線通信を行うためのアンテナ２７が設けられている。更に、球箱２１には、例えば、シャッター等により構成され、制御部２０１からの制御に応じて送出部２２の開口部を開閉し送出部２２からの球３の送出を制御する送出制御部２８が設けられている。
【００２３】
また、抽選装置２には、図６に示す制御部２０１、記憶部２０２、通信部２０３、非接触通信部２０４等の制御系が内蔵されている。
【００２４】
制御部２０１は、記憶部２０２のプログラム記憶部２０２ａに記憶されている各種のプログラムを実行して所定の演算や各部の制御を行うＣＰＵとプログラム実行時の作業領域となるメモリ（いずれも図示略）とを備えている。制御部２０１は、記憶部２０２のプログラム記憶部２０２ａに記憶されているプログラムとの協働により後述する抽選制御処理を実行することにより、出力制御手段として機能する。
【００２５】
記憶部２０２は、不揮発性の半導体メモリ等により構成される。記憶部２０２には、図６に示すように、プログラム記憶部２０２ａが設けられている。プログラム記憶部２０２ａには、制御部２０１で実行されるシステムプログラムや、抽選制御処理を始めとする各種処理を実行するための処理プログラム、これらのプログラムの実行に必要なデータ等が記憶されている。
【００２６】
通信部２０３は、モデム、ルータ、ネットワークカード等により構成され、ＬＡＮ等の通信ネットワークに接続された外部機器との通信を行う。
【００２７】
非接触通信部２０４は、送出部２２近傍に設けられたアンテナ２７等を備え、ＮＦＣ（Near Field Communication）等の無線通信により、送出部２２を通過する球３と非接触通信を行う。非接触通信部２０４は、無線通信手段、検出手段として機能する。
【００２８】
［球３の構成］
球３は、複数色を切り替え可能なＬＥＤ（Light Emitting Diode）が内蔵された白色の抽選球であり、抽選結果に対応する色を出力する発光装置（出力装置）である。
図７に、球３の主制御構成を示す。図７に示すように、球３は、制御部３１、記憶部３２、発光部３３、非接触通信部３４、自家発電装置３５等を備えて構成されている。
【００２９】
制御部３１は、記憶部３２のプログラム記憶部３２１に記憶されている各種のプログラムを実行して所定の演算や各部の制御を行うＣＰＵとプログラム実行時の作業領域となるメモリ（いずれも図示略）とを備えている。制御部３１は、記憶部３２のプログラム記憶部３２１に記憶されているプログラムとの協働により、例えば、抽選装置２と無線通信を行い、抽選装置２から送信された発光制御情報に基づいて発光部３３の発光制御を行う。
【００３０】
記憶部３２は、不揮発性の半導体メモリ等により構成される。記憶部３２には、図７に示すように、プログラム記憶部３２１が設けられている。プログラム記憶部３２１には、制御部３１で実行されるシステムプログラムや、各種処理プログラム、これらのプログラムの実行に必要なデータ等が記憶されている。
【００３１】
発光部３３は、複数のＬＥＤを備え、複数の色を切り替えて発光可能であり、制御部３１からの指示に応じた色で発光する。
【００３２】
非接触通信部３４は、図示しないアンテナ等を備え、ＮＦＣ等の無線通信により、抽選装置２の非接触通信部２０４と非接触通信を行う。
【００３３】
自家発電装置３５は、球３が回転することにより発電し、球３の各部に電力を供給する。
【００３４】
［抽選システム１００の動作］
次に、抽選システム１００の動作について説明する。
図８に、抽選装置２において実行される抽選制御処理のフローチャートを示す。抽選制御処理は、抽選装置２の図示しない電源がＯＮとなった際に、制御部２０１とプログラム記憶部２０２ａに記憶されているプログラムとの協働により実行される。
【００３５】
まず、制御部２０１は、送出制御部２８により送出部２２の開口部を閉じた状態に設定し（ステップＳ１）、非接触通信部２０４により球３が送出部２２に入ったことが検出されるのを待機する（ステップＳ２）。
ここで、ユーザによるハンドル２３の操作により球箱２１が回転することにより球３が送出部２２に入ると、球３は非接触通信部２０４の通信エリア内に入り、非接触通信部２０４により検出可能となる。そこで、ステップＳ１において、制御部２０１は、非接触通信部２０４により球３が検出された場合に、球３が送出部２２に入ったことが検出されたと判断する。
【００３６】
非接触通信部２０４により球３が送出部２２に入ったことが検出された場合（ステップＳ２；ＹＥＳ）、制御部２０１は、通信部２０３によりサーバ装置１に抽選を依頼する（ステップＳ３）。
【００３７】
サーバ装置１の制御部１１は、通信部１５により抽選装置２からの抽選依頼が受信されると、抽選を行う。即ち、制御部１１は、抽選設定情報記憶部１２２に記憶されている各等級の確率に基づいて抽選を行う。例えば、各等級に確率に応じた個数の数値を割り当てて乱数を発生させ、発生した乱数の値が割り当てられている等級を選択する。そして、制御部１１は、抽選により選ばれた等級に応じた色を抽選設定情報に基づいて決定し、決定した色情報を抽選結果として通信部１５により抽選装置２に送信する。
【００３８】
通信部２０３によりサーバ装置１から抽選結果を示す色情報が受信された場合（ステップＳ４；ＹＥＳ）、制御部２０１は、非接触通信部２０４により球３にサーバ装置１から受信した色情報に対応する発光制御情報を送信し、球３の発光部３３の発光を制御する（ステップＳ５）。発光制御情報は、例えば、球３に、サーバ装置１から受信した色情報に対応する色を出力するように指示する情報である。
【００３９】
球３においては、非接触通信部３４により抽選装置２からの発光制御情報を受信すると、発光制御情報の受信が完了したことを示す応答を非接触通信部３４により抽選装置２に送信する。そして、制御部３１により、受信した発光制御情報に基づいて、発光部３３の各ＬＥＤの発光制御を行う。これにより、球３は、抽選結果に対応する色となる。
ここで、本実施形態においては、球３の色を白とし、当たりの場合は等級に応じた色を出力するように発光部３３のＬＥＤを発光させ、はずれの場合は、発光部３３のＬＥＤを点灯せずに白をそのまま出力させることとするが、はずれの場合においても当たりと異なる色で発光させてもよい。また、当たりの等級のうちの１色を白としてもよい。
【００４０】
抽選装置２において、非接触通信部２０４により球３からの応答が受信されると（ステップＳ６；ＹＥＳ）、制御部２０１は、送出制御部２８を制御して送出部２２の開口部を開状態にし、球３を送出部２２から送出させる（ステップＳ７）。ここで、球３からの応答を受信してから送出制御部２８が送出部２２の開口部を開状態とすることで、球３が抽選結果に対応する色に発光制御された状態で送出部２２から送出される。
【００４１】
ステップＳ７が終了すると、制御部２０１は、ステップＳ１の処理に戻り、抽選装置２の電源がＯＦＦされるまでステップＳ１〜ステップＳ７の処理を繰り返し実行する。
【００４２】
なお、送出された球３の発光部３３のＬＥＤは、点灯された場合は所定時間後に消灯（ＯＦＦ）される。或いは、非接触通信により発光部３３のＬＥＤを消灯する指示を球３に送信する機能を備えた専用のボックスに球３を入れることにより発光部３３を消灯させることとしてもよい。
【００４３】
以上説明したように、抽選システム１００によれば、抽選装置２の制御部２０１は、球箱２１の回転により同一種類の球３のうち一つの球３が送出部２２に入ったことが非接触通信部２０４により検出された場合、通信部２０３によりサーバ装置１に抽選を依頼する。サーバ装置１から抽選結果を示す色情報を受信すると、制御部２０１は、非接触通信部２０４により球３に受信した色情報に基づく発光制御情報を送信し、色情報に基づいて球３の発光を制御する。球３から発光制御情報の受信完了が受信されると、制御部２０１は、送出制御部２８を制御して送出部２２の開口部を開状態にして送出部２２を介して球３を球箱２１の外部に送出する。
【００４４】
従って、複数種類の抽選球を使用せずに、従来の回転式抽選装置と同様の興趣性を有するくじを提供することが可能となる。球の種類が一種類でよいため、球のセットは、同一種類の球を球箱に投入するだけでよく、予め当たりの各等級やはずれに対応する複数色の球を数を数えてセットしておくという手間を省くことができる。また、等級に応じた色の球をその等級が出る数だけ用意する必要がないため、球の数が少なくて済み、コストの削減にもなる。また、装置構造が簡単であり、収納する球の数も少なくて済むため、装置を小型化することができる。また、抽選の等級や各等級の確率等をサーバ装置１に設定しておけば、その設定に基づいてコンピュータ処理により抽選が行われるので、容易に等級や確率を変えた抽選を行うことができる。抽選の等級の級数は、制約なく自由に設定することができる。
【００４５】
また、球３が送出部２２を通過する際に、抽選装置２から非接触通信により球３に発光制御情報を送信して抽選結果に応じた色となるように球３を発光制御するので、送出される球３のみを、その球３が送出部２２を出るタイミングで発光させることができる。
【００４６】
また、抽選装置２が複数台であっても、サーバ装置１の一か所で抽選を行うため、既に大当たり（例えば、特等や１等）が出てしまっている台でも他の台と同様の確率（又は本数）で大当たりが出る可能性があり、公平な抽選をすることができる。
【００４７】
なお、上記実施形態における記述内容は、本発明に係る抽選システム１００の好適な一例であり、これに限定されるものではない。
【００４８】
例えば、上記実施形態においては、抽選結果を出力する出力する出力装置としての球３が、抽選結果に応じて複数の発光色を切り替えて発光可能な発光装置である場合を例にとり説明したが、これに限定されない。例えば、出力装置としての球３は、抽選結果に応じた音声や動きを出力するものであってもよい。
【００４９】
また、上記実施形態においては、送出部２２に球３が入ったことを非接触通信部２０４により検出することとしたが、例えば、送出部２２の近傍にセンサを設け、このセンサにより送出部２２に球３が入ったことを検出することとしてもよい。
【００５０】
また、上記実施形態においては、サーバ装置１において球３の色を決定することとしたが、サーバ装置１で抽選を行い、抽選装置２で抽選結果に対応する色を決定することとしてもよい。
また、上記実施形態においては、当たり、はずれの各等級に対応する確率を予め決めておき、各等級の確率に基づいて抽選を行う場合を例にとり説明したが、当たり、はずれの各等級の本数を予め決めておき、本数に基づいて抽選を行うこととしてもよい。また、抽選期間中の大当たり（特等や１等など）の本数を曜日毎に割り当てたり、最終日まで大当たりを残す等のコントロールを行うこととしてもよい。
【００５１】
また、上記実施形態においては、サーバ装置１において抽選を実施することとしたが、抽選装置２の制御部２０１が抽選手段として抽選を実施することとしてもよい。この場合、抽選装置２は、抽選の等級、各等級の確率（本数）及び球３の色等を設定するための操作部、及び抽選設定情報を記憶するための設定情報記憶部を抽選装置２に備える。
【００５２】
また、抽選装置２と球３の通信は、ＮＦＣに限らず、他の規格の短距離無線通信により行うこととしてもよい。
【００５３】
その他、抽選システム及び抽選システムを構成する各装置の細部構成及び細部動作に関しても、発明の趣旨を逸脱することのない範囲で適宜変更可能である。
【００５４】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
抽選を行う抽選手段と、
前記抽選手段による抽選結果を出力する出力装置を収納し、ユーザ操作により前記出力装置を送出手段を介して外部に送出する収納手段と、
前記抽選結果に基づいて前記出力装置の出力制御を行う出力制御手段と、
を備える抽選装置。
＜請求項２＞
前記出力装置が前記送出手段を通過する際に前記出力装置と無線通信を行う無線通信手段を備え、
前記出力制御手段は、前記出力装置が前記送出手段を通過する際に、前記無線通信手段により前記出力装置に前記抽選結果に対応する出力制御情報を送信する請求項１に記載の抽選装置。
＜請求項３＞
前記収納手段は、前記出力装置を複数収納し、ユーザ操作に応じて回転し、
前記送出手段の近傍に備えられ、前記出力装置を検出する検出手段と、を備え、
前記収納手段の回転に応じて前記収納手段から１つの前記出力装置が前記送出手段に移動するように構成され、
前記抽選手段は、前記検出手段により前記出力装置が検出された際に抽選を行い、
前記出力制御手段は、前記出力装置が前記送出手段を通過する際に、前記抽選手段による抽選結果に基づいて前記出力装置の出力制御を行う請求項１又は２に記載の抽選装置。
＜請求項４＞
前記出力装置は、発光装置であり、
前記出力制御手段は、前記抽選結果に基づいて前記発光装置の発光制御を行う請求項１〜３の何れか一項に記載の抽選装置。
＜請求項５＞
前記発光装置は、複数の色を切り替えて発光可能であり、
前記出力制御手段は、前記抽選結果に対応する色が出力されるように前記発光装置の発光制御を行う請求項４に記載の抽選装置。
＜請求項６＞
抽選を行う工程と、
前記抽選結果に基づいて前記出力装置の出力制御を行う工程と、
前記抽選による抽選結果を出力する出力装置を収納する収納手段から前記出力装置を外部に送出する工程と、
を含む出力制御方法。
＜請求項７＞
抽選を行う抽選手段と、前記抽選手段による抽選結果を出力する出力装置を収納し、ユーザ操作により前記出力装置を送出手段を介して外部に送出する収納手段と、を備える抽選装置に用いられるコンピュータを、
前記抽選結果に基づいて前記出力装置の出力制御を行う出力制御手段として機能させるためのプログラム。
【符号の説明】
【００５５】
１００  抽選システム
１  サーバ装置
１１  制御部
１２  記憶部
１２１  プログラム記憶部
１２２  抽選設定情報記憶部
１３  操作部
１４  表示部
１５  通信部
２  抽選装置
２１  球箱
２２  送出部
２３  ハンドル
２４  回転軸
２５  台座
２６  受け皿
２７  アンテナ
２８  送出制御部
２０１  制御部
２０２  記憶部
２０２ａ  プログラム記憶部
２０３  通信部
２０４  非接触通信部
３  球
３１  制御部
３２  記憶部
３２１  プログラム記憶部
３３  発光部
３４  非接触通信部
３５  自家発電装置
【図１】
2016058000.tif 000003
【図２】
2016058000.tif 000004
【図３】
2016058000.tif 000005
【図４】
2016058000.tif 000006
【図５】
2016058000.tif 000007
【図６】
2016058000.tif 000008
【図７】
2016058000.tif 000009
【図８】
2016058000.tif 000010